(57)【特許請求の範囲】
【請求項１】
壁に対して取り付けるねじを通す壁取付孔を有する壁取付ユニットと、
使用者が操作する操作手段と、付近の状態を検知するセンサとのいずれか一方または両方を有し、前記壁取付ユニットに取り付けられた状態で前記操作手段と前記センサとのいずれか一方または両方が使用可能な表面ユニットと、
スナップフィットまたは圧入により前記壁取付ユニットに対して前記表面ユニットを着脱可能に固定するユニット固定手段と、
を備え、
前記壁取付ユニットが壁に固定された状態で前記壁取付ユニットから前記表面ユニットを取り外し可能であり、
前記壁取付ユニットに取り付けられる化粧枠を取り外すことなく、前記表面ユニットを前記壁取付ユニットから取り外し可能であることを特徴とする壁設置装置。
【請求項２】
前記ユニット固定手段は、前記壁取付ユニットまたは前記表面ユニットに設けられた爪部を有することを特徴とする請求項１に記載の壁設置装置。
【請求項３】
工具差込口を備え、前記工具差込口に工具を差し込むことで前記表面ユニットを前記壁取付ユニットから取り外し可能になることを特徴とする請求項１または請求項２に記載の壁設置装置。
【請求項４】
前記壁取付ユニットに対して複数種類の前記表面ユニットを選択的に取り付け可能であることを特徴とする請求項１から請求項３のいずれか一項に記載の壁設置装置。
【請求項５】
前記壁取付ユニットに前記表面ユニットを取り付けた状態では前記壁取付孔が前記表面ユニットに覆われ、前記壁取付ユニットから前記表面ユニットを取り外した状態では前記壁取付孔が露出することを特徴とする請求項１から請求項４のいずれか一項に記載の壁設置装置。
【請求項６】
前記表面ユニットは、前記壁取付ユニットに取り付けられる化粧枠に囲まれる領域の実質的に全体を覆うことを特徴とする請求項１から請求項５のいずれか一項に記載の壁設置装置。
【請求項７】
前記壁取付ユニットは、回路基板と、前記回路基板に搭載されたスイッチとを備え、
前記表面ユニットは、前記スイッチを押すための押し子を備えることを特徴とする請求項１から請求項６のいずれか一項に記載の壁設置装置。
【請求項８】
前記壁取付ユニットは、回路基板と、前記回路基板に搭載されたスイッチとを備え、
前記表面ユニットは、
前記スイッチを押すための押し子と、前記押し子が接続された枠本体とを有する押し子枠と、
前記押し子枠に取り付けられ、前記押し子を押すように前記枠本体に対して変位可能な操作ボタンと、
を備えることを特徴とする請求項１から請求項６のいずれか一項に記載の壁設置装置。
【請求項９】
前記壁取付ユニットは、前記回路基板の表側を覆う基板保護板を備え、
前記基板保護板は、前記押し子を通す孔を有することを特徴とする請求項７または請求項８に記載の壁設置装置。
【請求項１０】
前記表面ユニットは、回路基板と、前記回路基板の裏側を覆う基板保護板とを備える請求項１から請求項６のいずれか一項に記載の壁設置装置。
【発明の詳細な説明】
【技術分野】
【０００１】
本発明は、壁設置装置に関する。
【背景技術】
【０００２】
照明制御システム等に用いられる壁スイッチ装置等の壁設置装置が知られている（例えば、特許文献１から特許文献５参照）。
【先行技術文献】
【特許文献】
【０００３】
【特許文献１】特許第５４３５７０３号公報
【特許文献２】特許第５２８２９０４号公報
【特許文献３】特開２０１１−９０８９７号公報
【特許文献４】特開２０１０−２２５４６４号公報
【特許文献５】特開平１１−２５８２２号公報
【発明の概要】
【発明が解決しようとする課題】
【０００４】
壁に取り付けられている壁設置装置の一部を、交換、修理、または調整する場合がある。例えば、壁スイッチ装置では、操作ボタンの表面、または、操作ボタンの近傍に、当該操作ボタンが割り当てられる区画の名称等を表す名札が設置される。フロアの改装などに伴って、当該名札を交換する場合がある。そのような場合に、壁設置装置を壁に固定しているねじを取り外して、壁設置装置を壁から取り外す必要があり、作業に多大な手間を要する。
【０００５】
本発明は、上述のような課題を解決するためになされたもので、壁設置装置の一部を容易に着脱できる壁設置装置を提供することを目的とする。
【課題を解決するための手段】
【０００６】
本発明に係る壁設置装置は、壁に対して取り付けるねじを通す壁取付孔を有する壁取付ユニットと、使用者が操作する操作手段と、付近の状態を検知するセンサとのいずれか一方または両方を有し、壁取付ユニットに取り付けられた状態で操作手段とセンサとのいずれか一方または両方が使用可能な表面ユニットと、スナップフィットまたは圧入により壁取付ユニットに対して表面ユニットを着脱可能に固定するユニット固定手段と、を備え、壁取付ユニットが壁に固定された状態で壁取付ユニットから表面ユニットを取り外し可能であり、壁取付ユニットに取り付けられる化粧枠を取り外すことなく、表面ユニットを壁取付ユニットから取り外し可能であることを特徴とするものである。
【発明の効果】
【０００７】
本発明の壁設置装置によれば、壁に取り付けられた壁取付ユニットに対して表面ユニットを容易に着脱することが可能となる。
【図面の簡単な説明】
【０００８】
【図１】本発明の実施の形態１の壁スイッチ装置を表側から見た斜視図である。
【図２】本発明の実施の形態１の壁スイッチ装置を裏側から見た斜視図である。
【図３】本発明の実施の形態１の壁スイッチ装置の三面図である。
【図４】本発明の実施の形態１の壁スイッチ装置の分解斜視図である。
【図５】本発明の実施の形態１の壁スイッチ装置が備える基板ケースユニットの斜視図である。
【図６】本発明の実施の形態１の壁スイッチ装置を、取付壁面に対して垂直かつ上下方向の平面で切断した断面図である。
【図７】本発明の実施の形態１の壁スイッチ装置を、取付壁面に対して垂直かつ水平方向の平面で切断した断面の一部を示す図である。
【図８】本発明の実施の形態１の壁スイッチ装置が備える押し子枠を表側から見た斜視図である。
【図９】図８に示す押し子枠を裏側から見た斜視図である。
【図１０】本発明の実施の形態１の壁スイッチ装置が備える押し子枠の他の例を表側から見た斜視図である。
【図１１】図１０に示す押し子枠を裏側から見た斜視図である。
【図１２】本発明の実施の形態１の壁スイッチ装置が備える取付枠を表側から見た斜視図である。
【図１３】図１２に示す取付枠を裏側から見た斜視図である。
【図１４】本発明の実施の形態１の壁スイッチ装置が備える回路基板ユニットを正面から見た図である。
【図１５】本発明の実施の形態１の壁スイッチ装置が備える基板ケースを示す斜視図である。
【図１６】本発明の実施の形態１の壁スイッチ装置が備える基板ケースを示す斜視図である。
【図１７】本発明の実施の形態１の壁スイッチ装置が備える基板ケースの４個の細孔を外側から見た図である。
【図１８】本発明の実施の形態１の壁スイッチ装置を基板ケースの細孔の位置で切断した断面図である。
【図１９】本発明の実施の形態１の壁スイッチ装置が備える操作ボタンを示す斜視図である。
【図２０】本発明の実施の形態１の壁スイッチ装置が備える操作ボタンの他の例を示す斜視図である。
【図２１】本発明の実施の形態１の壁スイッチ装置が備える操作ボタンの表示部及びその付近を示す側面図である。
【図２２】本発明の実施の形態１の壁スイッチ装置が備える操作ボタンの表示部を構成する透明部品を裏面側から見た斜視図である。
【図２３】本発明の実施の形態１の壁スイッチ装置が備える操作ボタンの表示部を構成する透明部品をボタン本体から取り外した状態を示す斜視図である。
【図２４】本発明の実施の形態１の壁スイッチ装置が備える操作ボタンのボタン本体の斜視図である。
【図２５】本発明の実施の形態１の壁スイッチ装置が備える操作ボタンを位置決め用凸部及び位置決め用凹部の位置で切断した断面を示す斜視図である。
【図２６】本発明の実施の形態１の壁スイッチ装置が備えるブランクチップを表側から見た斜視図である。
【図２７】本発明の実施の形態１の壁スイッチ装置が備えるブランクチップを裏側から見た斜視図である。
【図２８】本発明の実施の形態１の壁スイッチ装置が備えるブランクチップの爪部が押し子枠のブランクチップ取付部の取付孔に挿入した部分の断面を示す斜視図である。
【図２９】本発明の実施の形態１の壁スイッチ装置における第二タイプの押し子枠６の一部を正面から見た図である。
【図３０】本発明の実施の形態１における８チャンネル型の壁スイッチ装置を示す斜視図である。
【図３１】本発明の実施の形態１における４チャンネル型の壁スイッチ装置を示す斜視図である。
【図３２】本発明の実施の形態１における３チャンネル型の壁スイッチ装置を示す斜視図である。
【図３３】本発明の実施の形態１における２チャンネル型の壁スイッチ装置を示す斜視図である。
【図３４】本発明の実施の形態１における１チャンネル型の壁スイッチ装置を示す斜視図である。
【図３５】本発明の実施の形態１の壁スイッチ装置の基板ケースユニットからボタンユニットを取り外した状態を示す分解斜視図である。
【図３６】本発明の実施の形態１の壁スイッチ装置の工具差込口及びその付近を示す斜視図である。
【図３７】本発明の実施の形態１の壁スイッチ装置の工具差込口及びその付近の断面を示す斜視図である。
【図３８】本発明の実施の形態２の壁スイッチ装置が備える取付枠の正面図である。
【図３９】本発明の実施の形態２の壁スイッチ装置が備える押し子枠を表側から見た斜視図である。
【図４０】本発明の実施の形態２の壁スイッチ装置が備える押し子枠を裏面側から見た図である。
【図４１】本発明の実施の形態２の壁スイッチ装置の工具差込口及びその付近の断面を示す斜視図である。
【図４２】本発明の実施の形態１及び２において組み立て可能な壁スイッチ装置の他の例を示す正面図である。
【図４３】本発明の実施の形態１及び２において組み立て可能な壁スイッチ装置の他の例を示す正面図である。
【図４４】本発明における操作ボタンの他の変形例を模式的に示す側面図である。
【図４５】本発明における操作ボタンの他の変形例を模式的に示す側面図である。
【図４６】本発明の実施の形態３の壁設置装置を取付壁面に対して垂直で鉛直線に平行な平面で切断した断面を模式的に示す図である。
【図４７】図４６に示す壁取付ユニットに対して他の種類の表面ユニットを取り付けた壁設置装置を取付壁面に対して垂直で鉛直線に平行な平面で切断した断面を模式的に示す図である。
【発明を実施するための形態】
【０００９】
以下、図面を参照して本発明の実施の形態について説明する。各図において共通する要素には、同一の符号を付して、重複する説明を省略する。なお、本発明は、図面に示す形態のみに限定されるものではない。また、装置、器具及び部品等の配置及び向きについても、図面に示す配置及び向きに限定されない。装置、器具及び部品等の材質、形状及び大きさについても、本発明の範囲内で適宜変更することができる。
【００１０】
実施の形態１．
図１は、本発明の実施の形態１の壁スイッチ装置を表側から見た斜視図である。図２は、本発明の実施の形態１の壁スイッチ装置を裏側から見た斜視図である。図３は、本発明の実施の形態１の壁スイッチ装置の三面図である。これらの図に示す本実施の形態１の壁スイッチ装置１は、本発明における壁設置装置の例である。壁スイッチ装置１は、例えば照明制御システムに用いられる。照明制御システムは、照明制御盤等の主制御部（図示省略）を備え、例えばオフィス、店舗などの施設に設置される複数の照明装置を統合して制御する。壁スイッチ装置１は、他の機器（照明制御盤等）に対して、有線通信または無線通信により、通信可能に接続される。本実施の形態の壁スイッチ装置１は、２線式多重伝送方式による伝送線を介して他の機器と通信可能である。
【００１１】
壁スイッチ装置１は、壁に設置される。本実施の形態の壁スイッチ装置１は、日本工業規格（ＪＩＳ）Ｃ８４３５に適合する合成樹脂製ボックスまたは日本工業規格（ＪＩＳ）Ｃ８３４０に適合する電線管用金属製ボックスに対して取り付け可能である。壁に埋め込まれたり壁に直付けされるように設置された当該合成樹脂製ボックスまたは電線管用金属製ボックスに対して、壁スイッチ装置１を、後述する壁取付ねじ１００で固定することで、壁スイッチ装置１を壁に取り付けることができる。図１から図３は、壁スイッチ装置１に化粧枠１０を取り付けた状態の図である。化粧枠１０は、壁スイッチ装置１が壁に設置された状態における意匠性を向上する機能を有する。化粧枠１０は、後述する化粧枠保持体１１を介して、壁スイッチ装置１に対して取り付け可能である。
【００１２】
以下の説明では、壁スイッチ装置１が取り付けられる仮想の壁面を「取付壁面」と称する。図３中の左上の図は、取付壁面に対して垂直な方向から見た図である。以下の説明では、壁スイッチ装置１及びその構成部品を正面から見ることは、取付壁面に対して垂直な方向から見ること、すなわち図３中の左上の図のように見ることを意味するものとする。以下の説明では、特に規定しない限り、壁スイッチ装置１及びその構成部品における上下方向とは、壁スイッチ装置１が壁に取り付けられたときの鉛直線の方向を言うものとする。また、以下の説明では、特に規定しない限り、壁スイッチ装置１及びその構成部品における左及び右の方向は、壁スイッチ装置１を正面から見たときの左及び右の方向を言うものとする。
【００１３】
図１に示す壁スイッチ装置１は、８個の操作ボタン２を備える８チャンネル型のものである。照明制御システムでは、壁スイッチ装置１の操作ボタン２を指で押すことで、当該操作ボタン２に割り当てられた１または複数の照明装置の、点灯、消灯、調光などが制御される。操作ボタン２は、操作部２ａ及び表示部２ｂを有する。表示部２ｂは、当該操作ボタン２に割り当てられた１または複数の照明装置の場所、あるいは点灯パターンなどの名称等を示す文字、数字などを記した名札を表示する。後述するように、本実施の形態における表示部２ｂは、透明部品で構成され、当該透明部品の内側に名札が配置される。本実施の形態における操作ボタン２は、使用者が操作する操作手段の例である。
【００１４】
左右方向を行方向として上下方向を列方向としたとき、８個の操作ボタン２は、正面から見て、４行×２列の行列状をなすように、隣接して配置される。図３に示すように、正面から見て、各々の操作ボタン２が占める領域は、長方形になる。正面から見て、各々の操作ボタン２の領域は、操作部２ａが占める片方の領域と、表示部２ｂが占めるもう片方の領域とに二分される。本実施の形態では、正面から見て、操作部２ａが占める領域と、表示部２ｂが占める領域との境界２ｃは、左右方向に延びる一本の線になる。本実施の形態では、正面から見て、各々の操作ボタン２の領域は、操作部２ａが占める上半分の領域と、表示部２ｂが占める下半分の領域とに二分される。本実施の形態では、操作部２ａが占める領域と、表示部２ｂが占める領域との境界２ｃは直線（一直線）であるが、当該境界を曲線にしても良い。
【００１５】
壁スイッチ装置１のサイズは、上記ＪＩＳ規格の合成樹脂製ボックスまたは電線管用金属製ボックスに対して取り付け可能とするために制限を受ける。このため、操作ボタン２の数を多くすると、各々の操作ボタン２が小型にならざるを得ない。本実施の形態では、正面から見たときに、各々の操作ボタン２の領域が、境界２ｃを介して、操作部２ａが占める片方の領域と、表示部２ｂが占めるもう片方の領域とに二分される。これにより、小型の操作ボタン２においても、表示部２ｂの領域の面積を大きくできる。このため、表示部２ｂの表示が見やすい。また、操作ボタン２を指で押すとき、操作部２ａを押しても良いし表示部２ｂを押してもよいので、指で押せる領域が大きくなり、操作がしやすい。また、操作ボタン２の表面が操作部２ａと表示部２ｂとに分かれていることで、操作部２ａを指で触る場合には表示部２ｂが指で隠れにくいので、表示部２ｂを目視しながら操作ボタン２を押すことができ、押し間違いを抑制できる。本実施の形態の操作ボタン２では、正面から見たときに、操作部２ａが占める領域の面積と、表示部２ｂが占める領域の面積とがおおむね等しい。これにより、表示部２ｂの領域の面積を十分に大きくしつつ、操作部２ａを押す場合に操作部２ａをより押しやすくできる。正面から見たときに、表示部２ｂが占める領域の面積は、操作部２ａが占める領域の面積に比べて、０．５倍〜２倍程度が好ましく、０．７倍〜１．５倍程度がより好ましい。このような範囲であれば、上記効果に類似した効果が確実に得られる。
【００１６】
本実施の形態では、正面から見たときに、各々の操作ボタン２において、表示部２ｂが占める領域が、操作部２ａが占める領域の上の位置になることで、次の効果が得られる。操作部２ａを指で触る場合に表示部２ｂが指で隠れることをより確実に抑制できるので、表示部２ｂをより確実に目視しながら操作ボタン２を押すことができ、押し間違いをより確実に抑制できる。本実施の形態では、表示部２ｂが占める領域が、操作部２ａが占める領域の真上の位置にあるが、表示部２ｂが占める領域の中心位置が、操作部２ａが占める領域の中心位置に比べて、上の位置であれば、上記効果に類似した効果が得られる。
【００１７】
以下の説明では、壁スイッチ装置１が壁に設置されて使用される状態を正面から見たときに外観に現れる壁スイッチ装置１の領域を「外観領域」と称する。本実施の形態では、正面から見たときに化粧枠１０の内側の領域が外観領域に相当する。本実施の形態では、外観領域は、上下方向を長手方向とする長方形である。図１及び図３に示す壁スイッチ装置１が備える各々の操作ボタン２の左右方向の長さは、外観領域の左右方向の長さの１／２に実質的に等しい。なお、本明細書における「実質的に等しい」とは、部品同士の間に確保することが必要な隙間の大きさ程度の違いが存在する場合を含むものとする。
【００１８】
図１及び図３に示すように、壁スイッチ装置１は、外観領域の上部及び下部を形成するブランク部６ｄを備える。ブランク部６ｄの表面は、空白（余白）となる領域である。ブランク部６ｄの表面は、スイッチの操作を受け付けない領域である。ブランク部６ｄは、後述する押し子枠６の一部である。正面から見たとき、ブランク部６ｄの表面は、左右方向を長手方向とする長方形を呈する。
【００１９】
以下の説明では、Ｎを自然数とし、外観領域の上下方向の長さをＮ等分した長さを「単位高さ」と称する。本実施の形態１では、Ｎ＝１０である。Ｎ＝１０に限定されるものではなく、例えば、Ｎ＝４〜２０とすることができる。Ｎは偶数が好ましい。
【００２０】
ブランク部６ｄの上下方向の長さは、単位高さに実質的に等しい。ブランク部６ｄの左右方向の長さは、外観領域の左右方向の長さに実質的に等しい。操作ボタン２の上下方向の長さは、単位高さの２倍に実質的に等しい。操作ボタン２の操作部２ａの上下方向の長さと、表示部２ｂの上下方向の長さとは、おおむね等しい。図１及び図３に示す壁スイッチ装置１では、視覚的な印象として、外観領域が上下方向に整然とＮ分割（１０分割）されている印象を与えることができる。このため、優れた意匠性が得られる。
【００２１】
図２及び図３に示すように、壁スイッチ装置１は、取付枠３と、基板ケース４とを備える。取付枠３の上部及び下部には、それぞれ、壁取付孔３ａが形成されている。壁取付孔３ａは、壁取付ねじ１００を通す孔である。壁取付ねじ１００は、壁に設置された合成樹脂製ボックスまたは電線管用金属製ボックス等に壁スイッチ装置１を固定するためのねじである。壁取付孔３ａは、左右方向に長い長孔である。取付枠３は、基板ケース４を固定するための爪部３ｂを有する。取付枠３は、上側の一対の爪部３ｂと、下側の一対の爪部３ｂとの、計４個の爪部３ｂを有する。基板ケース４内には、後述する回路基板ユニット５が配置される。回路基板ユニット５には、伝送線が接続される端子５ａが搭載されている。基板ケース４の底部には、端子５ａを露出させるための孔４ａが形成されている。
【００２２】
取付枠３には、化粧枠保持体１１をねじで固定できる。取付枠３は、上部の壁取付孔３ａの上側と、下部の壁取付孔３ａの下側とに、それぞれ孔３ｃを有する。化粧枠保持体１１は、取付枠３の孔３ｃにねじで固定されることが望ましい。化粧枠１０は、化粧枠保持体１１に対して、ねじ等の固定具を使用せずに、着脱可能に固定される。化粧枠１０を化粧枠保持体１１に着脱可能に固定する方法は、例えば、スナップフィット（爪部による固定、嵌合による固定など）、凸部が凹部に圧入することによる固定など、いかなる方法でも良い。本実施の形態における化粧枠保持体１１は、枠状を呈する。なお、図示の構成に代えて、化粧枠保持体１１を介さずに、取付枠３に対して化粧枠１０を直接取り付けるように構成しても良い。
【００２３】
図４は、本実施の形態１の壁スイッチ装置１の分解斜視図である。図４に示すように、壁スイッチ装置１は、押し子枠６を備える。後述するように、押し子枠６は、複数の押し子６ａを有する。操作ボタン２は、押し子枠６に取り付けられている。以下の説明では、操作ボタン２及び押し子枠６が組み合わされたユニット（アセンブリー）を「ボタンユニット」と称する。
【００２４】
回路基板ユニット５は、第一回路基板５ｂ及び第二回路基板５ｃを備える。第二回路基板５ｃは、第一回路基板５ｂの裏側に配置される。第二回路基板５ｃは、第一回路基板５ｂに対して支柱部５ｄを介して接続される。第二回路基板５ｃの大きさは、第一回路基板５ｂに比べて小さい。前述した端子５ａは、第二回路基板５ｃに搭載されている。第一回路基板５ｂには、例えばタクタイルスイッチ等のスイッチ５ｅ，５ｆが搭載されている。操作ボタン２を押すと、押し子６ａが操作ボタン２に押され、スイッチ５ｅまたはスイッチ５ｆが押し子６ａに押される。また、回路基板ユニット５は、マイクロコンピュータと、他の機器と通信するための通信部とを有する。
【００２５】
基板ケース４は、回路基板ユニット５を収納する凹部４ｂと、溝４ｃとを有する。基板ケース４は、上側の一対の溝４ｃと、下側の一対の溝４ｃとの、計４個の溝４ｃを有する。基板ケース４の溝４ｃに、取付枠３の爪部３ｂを挿入することで、取付枠３と基板ケース４とを固定できる。上側の爪部３ｂ及び溝４ｃの幅は、下側の爪部３ｂ及び溝４ｃの幅に比べて、大きくなっている。これにより、組立時に、誤って取付枠３を基板ケース４に対して相対的に逆さまに組み付けることを確実に防止できる。以下の説明では、取付枠３、基板ケース４、及び回路基板ユニット５が組み合わされたユニット（アセンブリー）を「基板ケースユニット」と称する。
【００２６】
後述するように、本実施の形態において、ボタンユニットは、基板ケースユニットに対して、ねじ等の固定具を使用せずに、スナップフィットまたは圧入により、着脱可能に固定される。本実施の形態では、壁に対して取り付ける壁取付ねじ１００を通す壁取付孔３ａを有する基板ケースユニットが壁取付ユニットに相当し、ボタンユニットが表面ユニットに相当する。
【００２７】
図５は、本実施の形態１の壁スイッチ装置１が備える基板ケースユニットの斜視図である。図５に示すように、取付枠３は、枠本体３ｄと、基板保護板３ｅと板状突出部３ｆとを有する。枠本体３ｄは、基板ケース４の縁部の形状に対応した長方形の枠状を呈する。枠本体３ｄは、基板ケース４の凹部４ｂの縁部に接触する。基板保護板３ｅは、枠本体３ｄの内側に位置する。基板保護板３ｅは、第一回路基板５ｂの表側を覆う。基板保護板３ｅを設けたことで、ボタンユニットを基板ケースユニットから取り外した際に、人の手が第一回路基板５ｂに触れることを確実に防止できる。取付枠３は、枠本体３ｄの上辺から上方へ突出する板状突出部３ｆと、枠本体３ｄの下辺から下方へ突出する板状突出部３ｆとの二つの板状突出部３ｆを有する。壁取付孔３ａ及び孔３ｃは、各々の板状突出部３ｆに形成されている。
【００２８】
図６は、本実施の形態１の壁スイッチ装置１を、取付壁面に対して垂直かつ上下方向の平面で切断した断面図である。図６に示すように、押し子枠６は、押し子６ａ、枠本体６ｂ、爪部６ｃ、ブランク部６ｄ、及び接続部６ｅを有する。押し子６ａは、第一回路基板５ｂに搭載されたスイッチ５ｅまたはスイッチ５ｆを押すための突出部を有する。押し子枠６は、複数の押し子６ａを有する。枠本体６ｂは、各々の押し子６ａの周囲を囲む。各々の押し子６ａと、枠本体６ｂとの間は、細い接続部６ｅを介して接続される。接続部６ｅが弾性変形することで、押し子６ａが枠本体６ｂに対して変位可能である。押し子枠６の枠本体６ｂの外縁は、取付枠３の枠本体３ｄの形状に対応した長方形を呈する。押し子枠６の枠本体６ｂは、取付枠３の枠本体３ｄに接触する。操作ボタン２の裏面は、押し子６ａの表面に接触する。操作ボタン２を指で押すと、押し子６ａが枠本体６ｂに対して変位し、スイッチ５ｅまたはスイッチ５ｆが押し子６ａの突出部に押される。なお、図６に示す例では、スイッチ５ｆは使用されない。スイッチ５ｆは、後述する第二タイプの押し子枠６が使用される場合に使用される。
【００２９】
押し子枠６の爪部６ｃを、取付枠３に形成された爪挿入孔３ｇに挿入することで、押し子枠６を取付枠３に固定できる。押し子枠６が取付枠３に固定されることで、ボタンユニットが基板ケースユニットに固定される。押し子枠６の爪部６ｃと、取付枠３との接触面は、爪部６ｃの挿入方向に対して傾斜している。このように構成されているので、爪部６ｃを爪挿入孔３ｇから引き抜く方向の力を押し子枠６に加えることで、押し子枠６を取付枠３から取り外すことができる。すなわち、ボタンユニットを基板ケースユニットから取り外すことができる。なお、図示の構成に代えて、取付枠３に対する爪部６ｃの接触面を凸曲面にした場合でも、上記と同様の効果が得られる。
【００３０】
押し子枠６のブランク部６ｄは、化粧枠１０の内縁の上辺に隣接する位置と、化粧枠１０の内縁の下辺に隣接する位置との２箇所にある。ブランク部６ｄの表面は、平坦である。ブランク部６ｄの表面は、取付壁面に対して実質的に平行である。本実施の形態では、取付壁面からブランク部６ｄの表面までの距離は、取付壁面から操作ボタン２の表示部２ｂの表面までの距離に比べて、僅かに小さい。このように、取付壁面からブランク部６ｄの表面までの距離は、取付壁面から操作ボタン２の表面までの最小距離に対して、等しいか、おおむね等しいことが望ましい。これにより、ブランク部６ｄの表面と操作ボタン２の表面とが段差無く連続しているという視覚的な印象を与えることができるので、意匠性が向上する。
【００３１】
押し子枠６のブランク部６ｄは、壁取付孔３ａを覆う覆い部としての機能を有する。正面から見たとき、押し子枠６のブランク部６ｄは、壁取付孔３ａを含む領域を覆う。壁スイッチ装置１が壁に設置された状態では、正面から見たとき、押し子枠６のブランク部６ｄは、壁取付ねじ１００の頭を含む領域を覆う。すなわち、基板ケースユニットに対してボタンユニットを取り付けた状態では壁取付孔３ａがボタンユニットに覆われ、基板ケースユニットからボタンユニットを取り外すことで壁取付孔３ａが露出する。このように、ボタンユニットを用いて壁取付孔３ａを覆うように構成したことで、操作ボタン２を配置可能な領域を広く確保できる。また、壁取付孔３ａを覆うための別部品が不要となるので、部品点数を削減できる。また、取付壁面から壁スイッチ装置１の表面までの厚さ寸法を抑制でき、壁に設置された状態での壁スイッチ装置１の外観を薄型にできる。
【００３２】
図６に示すように、取付枠３の基板保護板３ｅには、押し子６ａの突出部を通す孔３ｈが形成されている。押し子６ａの突出部が孔３ｈの内周に接触することなく、押し子６ａが基板保護板３ｅの板厚方向に変位可能である。
【００３３】
操作ボタン２の表示部２ｂの表面は、平坦である。表示部２ｂの表面は、取付壁面に対して実質的に平行である。操作部２ａの表面は、凸面である。このような構成により、以下の効果が得られる。壁スイッチ装置１の表面を指で撫でたとき、指で凹凸を感じることができるので、指が滑りにくく、指で押すべき位置が分かりやすく、操作がしやすい。図示の構成に限らず、操作部２ａ及び表示部２ｂの少なくとも一方の表面を凸面または凹面にすることで、上記と類似の効果が得られる。
【００３４】
操作ボタン２の操作部２ａの表面は、表示部２ｂの表面の位置に対して、突き出ている。すなわち、操作部２ａの表面と取付壁面との最大距離は、表示部２ｂの表面と取付壁面との最大距離に比べて大きい。このような構成により、以下の効果が得られる。壁スイッチ装置１の表面を指で撫でたとき、表示部２ｂに比べて操作部２ａが優先して指に触れる。このため、指で押すべき位置が分かりやすく、操作がしやすい。
【００３５】
図６中の位置２ｄは、操作部２ａの表面と取付壁面との距離が最大になる位置である。すなわち、位置２ｄは、操作部２ａの表面の頂点の位置である。中心２ｅは、操作ボタン２を正面から見たときに操作部２ａが占める領域の中心である。操作部２ａの表面と取付壁面との距離が最大になる位置２ｄは、当該操作ボタン２の操作部２ａが占める領域と表示部２ｂが占める領域との境界２ｃと、当該操作ボタン２の操作部２ａが占める領域の中心２ｅとの間にある。このような構成により、以下の効果が得られる。正面から見たときに、操作部２ａの表面の頂点の位置２ｄが境界２ｃに近くなるので、位置２ｄが操作ボタン２全体の中心の近くになる。操作ボタン２を指で触れたとき、操作部２ａの表面の頂点の位置２ｄが、最も指に触れる可能性が高い。よって、操作ボタン２を押す力は、操作部２ａの表面の頂点の位置２ｄに加わる可能性が最も高い。操作ボタン２を押す力が位置２ｄに加わったとき、位置２ｄが操作ボタン２全体の中心の近くにあることで、その力が効率良く押し子６ａに伝わる。このため、小さい操作力でもスイッチ５ｅまたはスイッチ５ｆを確実に押すことが可能となる。
【００３６】
本発明では、図示の構成に限らず、表示部２ｂの表面と取付壁面との最大距離が、操作部２ａの表面と取付壁面との最大距離に比べて大きいように構成しても良い。その場合には、当該操作ボタン２を正面から見たときに、表示部２ｂの表面の頂点の位置が、当該操作ボタン２の操作部２ａが占める領域と表示部２ｂが占める領域との境界２ｃと、当該操作ボタン２の表示部２ｂが占める領域の中心との間にあるように構成することが望ましい。これらの場合においても、上述した効果と類似の効果が得られる。
【００３７】
図７は、本実施の形態１の壁スイッチ装置１を、取付壁面に対して垂直かつ水平方向の平面で切断した断面の一部を示す図である。図７に示すように、取付枠３の爪部３ｂは、爪部３ｂの挿入方向に対して垂直な接触面で基板ケース４に接触する。これにより、基板ケース４の溝４ｃから爪部３ｂを引き抜く方向の力が取付枠３に作用した場合であっても、取付枠３と基板ケース４との固定が外れることを確実に抑制できる。
【００３８】
操作ボタン２は、一対の爪部２ｆを有する。爪部２ｆは、操作ボタン２の裏面側から突出する。操作ボタン２の左寄りの位置と右寄りの位置とにそれぞれ爪部２ｆがある。押し子枠６の押し子６ａと枠本体６ｂとの間に爪部２ｆが挿入することで、操作ボタン２が押し子枠６に取り付けられる。操作ボタン２の爪部２ｆは、爪部２ｆの挿入方向に対して垂直な接触面で枠本体６ｂの裏面に接触する。これにより、押し子６ａと枠本体６ｂとの間から爪部２ｆを引き抜く方向の力が操作ボタン２に作用した場合であっても、操作ボタン２が押し子枠６から外れることを確実に抑制できる。操作ボタン２を指で押していない状態では、操作ボタン２の裏面と枠本体６ｂの表面との間に隙間がある。操作ボタン２を指で押すと、操作ボタン２及び押し子６ａが枠本体６ｂに対して変位して当該隙間が縮小するとともに、接続部６ｅが弾性変形する。操作ボタン２から指を離すと、接続部６ｅの弾性により、操作ボタン２及び押し子６ａが元の位置に戻る。
【００３９】
図示の構成に代えて、枠本体６ｂに対する爪部２ｆの接触面を、爪部２ｆの挿入方向に対して傾斜した面、または凸曲面にしても良い。そのようにした場合には、押し子枠６から操作ボタン２を取り外す方向の力を操作ボタン２に加えることで、爪部２ｆが枠本体６ｂから外れ、操作ボタン２を取り外すことができる。この場合、操作ボタン２を交換したり、操作ボタン２を後述するブランクチップ７に付け替えたりする作業を容易に行うことができる。
【００４０】
図８は、本実施の形態１の壁スイッチ装置１が備える押し子枠６を表側から見た斜視図である。図９は、図８に示す押し子枠６を裏側から見た斜視図である。図８及び図９に示す押し子枠６は、８個の押し子６ａを有する。８個の押し子６ａの位置は、図１に示す８チャンネル型の壁スイッチ装置１が備える８個の操作ボタン２の位置に対応する。左右方向を行方向として上下方向を列方向としたとき、８個の押し子６ａは、正面から見て、４行×２列の行列状をなすように配置される。このように、押し子枠６が備える複数の押し子６ａを、複数行×複数列の行列状に配置することで、限られたサイズの押し子枠６の中に多数の押し子６ａを効率良く配置できる。以下の説明では、最も上の行の押し子６ａを「１段目」とし、下に向かって、順に、「２段目」、「３段目」・・・とする。図９に示すように、押し子枠６は、枠本体６ｂの上側に位置する一対の爪部６ｃと、枠本体６ｂの下側に位置する一対の爪部６ｃとの、計４個の爪部６ｃを有する。以下の説明では、図８及び図９に示す押し子枠６を、第一タイプの押し子枠６と呼ぶ。
【００４１】
図１０は、本実施の形態１の壁スイッチ装置１が備える押し子枠６の他の例を表側から見た斜視図である。図１１は、図１０に示す押し子枠６を裏側から見た斜視図である。図１０及び図１１に示す押し子枠６は、６個の押し子６ａを有する。以下の説明では、図１０及び図１１に示す押し子枠６を、第二タイプの押し子枠６と呼ぶ。第二タイプの押し子枠６についての説明では、第一タイプの押し子枠６と同様の点については、適宜説明を省略する。左右方向を行方向として上下方向を列方向としたとき、第二タイプの押し子枠６が備える６個の押し子６ａは、正面から見て、３行×２列の行列状をなすように配置される。第二タイプの押し子枠６が備える各々の押し子６ａの形状は、第一タイプの押し子枠６が備える押し子６ａの形状と同一または類似である。第二タイプの押し子枠６の１段目（すなわち最上段）の２個の押し子６ａの位置は、第一タイプの押し子枠６の１段目（すなわち最上段）の２個の押し子６ａの位置と同じである。第二タイプの押し子枠６の３段目（すなわち最下段）の２個の押し子６ａの位置は、第一タイプの押し子枠６の４段目（すなわち最下段）の２個の押し子６ａの位置と同じである。第二タイプの押し子枠６の２段目の２個の押し子６ａの位置は、１段目の２個の押し子６ａと、３段目の２個の押し子６ａとの中央の位置である。
【００４２】
第二タイプの押し子枠６の枠本体６ｂの表面側には、後述するブランクチップ７を取り付けるスペースとなるブランクチップ取付部６ｈがある。ブランクチップ取付部６ｈは、２箇所にある。一方のブランクチップ取付部６ｈは、１段目の２個の押し子６ａと、２段目の２個の押し子６ａとの間に位置する。他方のブランクチップ取付部６ｈは、２段目の２個の押し子６ａと、３段目の２個の押し子６ａとの間に位置する。ブランクチップ取付部６ｈには、ブランクチップ７を取り付けるための取付孔６ｆが形成されている。
【００４３】
上述したように、本実施の形態の押し子枠６は、８個または６個の押し子６ａを備える。本発明では、押し子枠が備える押し子の数は、これらの数に限定されるものではなく、２個以上であれば何個でも良い。例えば、以下のようにしても良い。２個の押し子を備える押し子枠において、２個の押し子を２行×１列または１行×２列に配置しても良い。１６個の押し子を備える押し子枠において、１６個の押し子を８行×２列に配置しても良い。
【００４４】
図１２は、本実施の形態１の壁スイッチ装置１が備える取付枠３を表側から見た斜視図である。図１３は、図１２に示す取付枠３を裏側から見た斜視図である。図１２及び図１３に示すように、取付枠３の基板保護板３ｅには、押し子６ａの突出部を通すための８個の孔３ｈ及び２個の孔３ｉが形成されている。８個の孔３ｈの位置は、第一タイプの押し子枠６が備える８個の押し子６ａの各々に対応する。２個の孔３ｉの位置は、第二タイプの押し子枠６の２段目の２個の押し子６ａに対応する。このような取付枠３であれば、第一タイプの押し子枠６と、第二タイプの押し子枠６との双方に対応できる。
【００４５】
図１２に示すように、取付枠３の板状突出部３ｆの表面には、取付枠３の上下を示す表示３ｊが設けられている。表示３ｊは、上向きの矢印の中に「上」の文字が入った表示になっている。このような表示３ｊを設けたことで、壁スイッチ装置１を壁に取り付ける際に、誤って上下を逆向きに取り付けることを確実に防止できる。
【００４６】
図１４は、本実施の形態１の壁スイッチ装置１が備える回路基板ユニット５を正面から見た図である。図１４に示すように、回路基板ユニット５の第一回路基板５ｂには、８個のスイッチ５ｅ及び２個のスイッチ５ｆが搭載されている。スイッチ５ｆは、スイッチ５ｅと同様に、例えばタクタイルスイッチ等で構成される。８個のスイッチ５ｅの位置は、第一タイプの押し子枠６が備える８個の押し子６ａの各々に対応する。２個のスイッチ５ｆの位置は、第二タイプの押し子枠６の２段目の２個の押し子６ａに対応する。このような回路基板ユニット５であれば、第一タイプの押し子枠６と、第二タイプの押し子枠６との双方に対応できる。
【００４７】
第一回路基板５ｂには、複数の発光素子５ｇ及び発光素子５ｈが搭載されている。発光素子５ｇ及び発光素子５ｈは、異なる色の光を発する。例えば、発光素子５ｇは緑色光を発し、発光素子５ｈは赤色光を発する。発光素子５ｇ及び発光素子５ｈは、壁スイッチ装置１が備える各々の操作ボタン２の位置に対応した位置に配置される。発光素子５ｇ及び発光素子５ｈのいずれが点灯しているかによって、操作ボタン２で操作する照明装置の点灯、消灯等の状態を知らせることができる。
【００４８】
第一回路基板５ｂには、赤外線通信を行うための赤外線送信部５ｉ及び赤外線受信部５ｊが搭載されている。本実施の形態の壁スイッチ装置１では、赤外線送信部５ｉ及び赤外線受信部５ｊを用いて、回路基板ユニット５のマイクロコンピュータと、例えばデータ設定器（図示省略）等の外部機器との間で赤外線通信を行うことができる。データ設定器と、回路基板ユニット５のマイクロコンピュータとの間で赤外線通信を行うことで、例えば壁スイッチ装置１の識別番号の設定、操作ボタン２の割り付けの設定などを行うことができる。
【００４９】
なお、図１２及び図１３に示すように、取付枠３の基板保護板３ｅには、発光素子５ｇ及び発光素子５ｈが発する光、赤外線送信部５ｉが送信する赤外線、並びに、赤外線受信部５ｊが受信する赤外線、を通すための複数の切欠き、孔等が形成されている。また、取付枠３の枠本体３ｄの内側には、第一回路基板５ｂに表面に接触するリブが設けられている。図１４中では、便宜上、それらの切欠き、孔、リブ等の位置を併せて描画している。本実施の形態において、発光素子５ｇ、発光素子５ｈ、及び赤外線送信部５ｉは、発光部の例である。本発明における発光部としては、例えばＬＥＤ（Ｌｉｇｈｔ  Ｅｍｉｔｔｉｎｇ  Ｄｉｏｄｅ）光源を用いることができる。本実施の形態において、赤外線受信部５ｊは、受光部の例である。本発明における受光部としては、例えばフォトダイオードを用いることができる。
【００５０】
図１５及び図１６は、本実施の形態１の壁スイッチ装置１が備える基板ケース４を示す斜視図である。図１５及び図１６に示すように、基板ケース４の底部には、ピン治具を挿入可能な４個の細孔４ｄが貫通している。図１７は、本実施の形態１の壁スイッチ装置１が備える基板ケース４の４個の細孔４ｄを外側から見た図である。図１８は、本実施の形態１の壁スイッチ装置１を基板ケース４の細孔４ｄの位置で切断した断面図である。図１８に示すように、回路基板ユニット５の第一回路基板５ｂの裏面には、基板ケース４の４個の細孔４ｄの各々に対応した位置に端子５ｋが形成されている。基板ケース４の細孔４ｄからピン治具を挿入することで、回路基板ユニット５の端子５ｋにアクセスできる。本実施の形態１の壁スイッチ装置１では、基板ケース４の細孔４ｄからピン治具を挿入して回路基板ユニット５の端子５ｋにアクセスすることで、回路基板ユニット５のマイクロコンピュータのプログラムの書き込みまたは書き換えをすることができる。回路基板ユニット５のマイクロコンピュータに万一のトラブルが発生した場合には、基板ケース４の細孔４ｄからピン治具を挿入して回路基板ユニット５の端子５ｋにアクセスすることで、壁スイッチ装置１を分解することなく、修理を行うことができる。
【００５１】
後述するように、本実施の形態では、共通の基板ケースユニットを用いて、複数種類の壁スイッチ装置１（８チャンネル型の壁スイッチ装置１のほかに、４チャンネル型の壁スイッチ装置１、３チャンネル型の壁スイッチ装置１、２チャンネル型の壁スイッチ装置１、１チャンネル型の壁スイッチ装置１等）を組み立てることができる。本実施の形態であれば、基板ケースユニットの組み立て後、または壁スイッチ装置１全体の組み立て後に、基板ケース４の細孔４ｄからピン治具を挿入して回路基板ユニット５の端子５ｋにアクセスすることで、上記の種類ごとに対応したプログラムを回路基板ユニット５のマイクロコンピュータに書き込むことができる。このため、上記の種類ごとに分けて回路基板ユニット５を用意する必要がないので、製造工程を簡素化でき、製造コストを低減できる。
【００５２】
図１９は、本実施の形態１の壁スイッチ装置１が備える操作ボタン２を示す斜視図である。図１９に示す操作ボタン２は、図１及び図３に示す壁スイッチ装置１が備える操作ボタン２である。図１９に示すように、操作ボタン２は、ボタン本体２ｇを備える。爪部２ｆは、ボタン本体２ｇの裏面側から突出している。操作部２ａは、ボタン本体２ｇに一体化している。表示部２ｂを構成する透明部品は、ボタン本体２ｇに対して着脱可能である。表示部２ｂの長手方向は、左右方向になる。
【００５３】
図２０は、本実施の形態１の壁スイッチ装置１が備える操作ボタン２の他の例を示す斜視図である。図２０に示す操作ボタン２の左右方向の長さは、図１９に示す操作ボタン２の左右方向の長さの２倍に実質的に等しい。図２０に示す操作ボタン２の左右方向の長さは、外観領域の左右方向の長さに実質的に等しい。以下の説明では、図１９に示す操作ボタン２のことを「標準幅の操作ボタン２」と呼ぶ場合がある。また、図２０に示す操作ボタン２のことを「倍幅の操作ボタン２」と呼ぶ場合がある。以下、図２１から図２５を参照し、標準幅の操作ボタン２の構成をさらに詳細に説明する。倍幅の操作ボタン２については、標準幅の操作ボタン２に比べて左右方向の長さが長いこと以外はほぼ同様の構成であるため、重複する説明を省略する。
【００５４】
図２１は、本実施の形態１の壁スイッチ装置１が備える操作ボタン２の表示部２ｂ及びその付近を示す側面図である。図２１に示すように、操作ボタン２の表示部２ｂを構成する透明部品は、表示部２ｂの裏面側から突出する上壁２ｈ及び下壁２ｉを有する。上壁２ｈは、表示部２ｂの上部に形成される。下壁２ｉは、表示部２ｂの下部に形成される。ボタン本体２ｇは、上壁２ｈと下壁２ｉとの間に挿入し、表示部２ｂの裏面と対向する対向面２ｊを有する。表示部２ｂの裏面と、対向面２ｊとの間には、隙間２ｋがある。隙間２ｋには、名札（図示省略）を設置できる。表示部２ｂを構成する透明部品が、ボタン本体２ｇに対して着脱可能としたことで、隙間２ｋへの名札の設置または交換の作業が容易になる。当該名札は、例えば、紙、フィルム、粘着紙、粘着フィルム、またはこれらのうちの複数の重ね合わせなど、いかなる構成でも良い。上壁２ｈの先端には、フック２ｍが形成されている。ボタン本体２ｇには、フック２ｍを引っ掛けるフック２ｎが形成されている。表示部２ｂを構成する透明部品のフック２ｍが、ボタン本体２ｇのフック２ｎに引っ掛かることで、表示部２ｂを構成する透明部品がボタン本体２ｇから脱落することを防止できる。表示部２ｂを構成する透明部品を、ボタン本体２ｇに対して、図２１の紙面に垂直な方向にスライドさせることで、表示部２ｂを構成する透明部品をボタン本体２ｇから取り外すことができる。
【００５５】
図２２は、本実施の形態１の壁スイッチ装置１が備える操作ボタン２の表示部２ｂを構成する透明部品を裏面側から見た斜視図である。図２２に示すように、操作ボタン２の表示部２ｂを構成する透明部品の下壁２ｉには、隙間調整用凸部２ｐ及び位置決め用凸部２ｑが形成されている。隙間調整用凸部２ｐは、当該透明部品の両端部にそれぞれ配置され、下壁２ｉから内側に突出する。隙間調整用凸部２ｐは、当該透明部品とボタン本体２ｇとの隙間を調整し、当該透明部品とボタン本体２ｇとの間に遊びが生じないようにする機能を持つ。位置決め用凸部２ｑは、当該透明部品の中央に配置され、下壁２ｉから外側に突出する。位置決め用凸部２ｑは、ボタン本体２ｇに対する当該透明部品のスライド方向の位置決めをする機能を持つ。標準幅の操作ボタン２の表示部２ｂを構成する透明部品においては、フック２ｍは、長手方向に沿って途中の２箇所に形成される。なお、倍幅の操作ボタン２の表示部２ｂを構成する透明部品においては、フック２ｍは、長手方向に沿って途中の３箇所に形成される。あるいは、フック２ｍの位置は、表示部２ｂを構成する透明部品の両端でも良く、フック２ｍの個数も２箇所または３箇所に限定されるものではない。
【００５６】
図２３は、本実施の形態１の壁スイッチ装置１が備える操作ボタン２の表示部２ｂを構成する透明部品をボタン本体２ｇから取り外した状態を示す斜視図である。図２３に示すように、ボタン本体２ｇには、位置決め用凸部２ｑが嵌合可能な位置決め用凹部２ｒが形成されている。表示部２ｂを構成する透明部品を、ボタン本体２ｇに対して、図２３中の矢印方向にスライドさせることで、表示部２ｂを構成する透明部品をボタン本体２ｇに装着することができる。表示部２ｂを構成する透明部品がボタン本体２ｇに対して適正な位置までスライドすると、位置決め用凸部２ｑがボタン本体２ｇの位置決め用凹部２ｒに嵌合することで、位置決めがなされる。これにより、表示部２ｂを構成する透明部品は、ボタン本体２ｇに対して適正な位置に装着された後は、自然にスライドしてしまうことが確実に防止される。
【００５７】
操作ボタン２の表示部２ｂと対向面２ｊとの間の隙間２ｋに名札を入れる場合、または名札を交換する場合には、表示部２ｂを構成する透明部品をボタン本体２ｇから完全に取り外す必要はない。表示部２ｂを構成する透明部品を途中までスライドさせた状態で、名札を着脱した後、当該透明部品を元の位置に戻せば良い。このようにすることで、名札を入れる場合、または名札を交換する場合に、表示部２ｂを構成する透明部品を落としたり紛失したりすることを確実に防止できる。
【００５８】
図２４は、本実施の形態１の壁スイッチ装置１が備える操作ボタン２のボタン本体２ｇの斜視図である。図２４に示すように、ボタン本体２ｇは、貫通孔２ｓを有する。貫通孔２ｓは、取付壁面及び第一回路基板５ｂに対して垂直な方向にボタン本体２ｇを貫通する。貫通孔２ｓは、表示部２ｂの表面に対して垂直な方向に、ボタン本体２ｇを貫通する。貫通孔２ｓは、位置決め用凹部２ｒの両側にそれぞれ形成されている。貫通孔２ｓは、左右方向に細長い形状を有する。表示部２ｂを構成する透明部品をボタン本体２ｇに装着した状態では、下壁２ｉが貫通孔２ｓを覆う。
【００５９】
壁スイッチ装置１を組み立てた状態では、第一回路基板５ｂに搭載された発光素子５ｇ及び発光素子５ｈから発せられた光がボタン本体２ｇの貫通孔２ｓに入射する。当該光は、貫通孔２ｓを通過し、下壁２ｉを透過し、表示部２ｂの表面から外部へ出射する。このようにして、発光素子５ｇ及び発光素子５ｈから発せられた光を視認できる。本実施の形態では、表示部２ｂを構成する透明部品の一部（下壁２ｉ）を用いて、発光素子５ｇ及び発光素子５ｈから発せられた光を導光することで、部品点数を増やすことなく、当該光をより見やすくできる。
【００６０】
壁スイッチ装置１を組み立てた状態では、第一回路基板５ｂに搭載された赤外線送信部５ｉから発せられた赤外線がボタン本体２ｇの貫通孔２ｓに入射する。当該赤外線は、貫通孔２ｓを通過し、下壁２ｉを透過し、表示部２ｂの表面から外部へ出射する。また、外部から発せられた赤外線は、表示部２ｂの表面から入射して下壁２ｉを透過し、貫通孔２ｓを通過して、赤外線受信部５ｊに受信される。このようにして、赤外線送信部５ｉ及び赤外線受信部５ｊにより赤外線を送受信できる。本実施の形態では、表示部２ｂを構成する透明部品の一部（下壁２ｉ）を用いて、赤外線を導光することで、部品点数を増やすことなく、赤外線の送受信をより確実に行うことができる。
【００６１】
図２５は、本実施の形態１の壁スイッチ装置１が備える操作ボタン２を位置決め用凸部２ｑ及び位置決め用凹部２ｒの位置で切断した断面を示す斜視図である。図２５中の上側が操作ボタン２の裏側である。図２５に示すように、表示部２ｂを構成する透明部品の位置決め用凸部２ｑが、ボタン本体２ｇの位置決め用凹部２ｒに嵌合する。これにより、表示部２ｂを構成する透明部品がボタン本体２ｇに対して自然にスライドしてしまうことが確実に防止される。
【００６２】
なお、本発明において、表示部２ｂを構成する部品をボタン本体２ｇに対して着脱可能にする構成は、上述した本実施の形態の構成に限定されるものではなく、例えば、スナップフィット（爪部による固定、嵌合による固定など）、凸部が凹部に圧入することによる固定などでも良い。また、弾性変形可能な透明薄板で表示部２ｂを構成し、当該透明薄板を湾曲させることで、ボタン本体２ｇ側に形成された溝に対して当該透明薄板を着脱する構成にしても良い。
【００６３】
また、本発明において、表示部２ｂは、透明部品で構成されなくても良い。表示部２ｂは、例えば粘着紙または粘着フィルムなどで構成される名札を貼り付け可能な表面を有する不透明部品でも良い。
【００６４】
図２６は、本実施の形態１の壁スイッチ装置１が備えるブランクチップ７を表側から見た斜視図である。図２７は、本実施の形態１の壁スイッチ装置１が備えるブランクチップ７を裏側から見た斜視図である。これらの図に示すブランクチップ７は、押し子枠６に取り付け可能な部品である。ブランクチップ７は、外観領域において操作ボタン２が装着されない範囲を覆う表面部品の例である。ブランクチップ７の表面は、空白（余白）となる領域である。ブランクチップ７の表面は、スイッチの操作を受け付けない領域である。正面から見たとき、ブランクチップ７の表面は、左右方向を長手方向とする長方形を呈する。ブランクチップ７の上下方向の長さは、単位高さに実質的に等しい。ブランクチップ７の左右方向の長さは、外観領域の左右方向の長さに実質的に等しい。ブランクチップ７は、押し子枠６に固定するための一対の爪部７ａを有する。爪部７ａは、ブランクチップ７の裏面側から突出する。ブランクチップ７の左寄りの位置と右寄りの位置とにそれぞれ爪部７ａがある。爪部７ａには、位置決め用凸部７ｂが形成されている。位置決め用凸部７ｂは、押し子枠６に対するブランクチップ７の上下方向の位置を保持する機能を持つ。
【００６５】
図２８は、本実施の形態１の壁スイッチ装置１が備えるブランクチップ７の爪部７ａが押し子枠６のブランクチップ取付部６ｈの取付孔６ｆに挿入した部分の断面を示す斜視図である。図２８に示すように、第二タイプの押し子枠６のブランクチップ取付部６ｈの取付孔６ｆには、ブランクチップ７の爪部７ａが挿入する。ブランクチップ７の爪部７ａは、爪部７ａの挿入方向に対して垂直な接触面で枠本体６ｂの裏面に接触する。これにより、取付孔６ｆから爪部７ａを引き抜く方向の力がブランクチップ７に作用した場合であっても、ブランクチップ７が押し子枠６から外れることを確実に抑制できる。ブランクチップ７の裏面とブランクチップ取付部６ｈの表面とは接触している。このため、ブランクチップ７の表面を指で押した場合でも、ブランクチップ７が押し子枠６に対して変位することを防止できる。
【００６６】
本実施の形態では、外観領域において操作ボタン２が装着されない範囲を覆うブランクチップ７を押し子枠６に取り付け可能にしたことで、操作ボタン２の表面と、操作ボタン２が装着されない範囲の表面との間に段差が生じることを抑制できる。このため、操作ボタン２が装着されない範囲の表面と、操作ボタン２の表面とが連続しているという視覚的な印象を与えることができるので、意匠性が向上する。
【００６７】
ブランクチップ７の表面は、平坦である。ブランクチップ７の表面は、取付壁面に対して実質的に平行である。取付壁面からブランクチップ７の表面までの距離は、取付壁面から操作ボタン２の表示部２ｂの表面までの距離とおおむね等しい。このように、取付壁面からブランクチップ７の表面までの距離は、取付壁面から操作ボタン２の表面までの最小距離に対して、等しいか、おおむね等しいことが望ましい。これにより、ブランクチップ７の表面と操作ボタン２の表面とが段差無く連続しているという視覚的な印象を与えることができるので、意匠性がさらに向上する。
【００６８】
図２９は、本実施の形態１の壁スイッチ装置１における第二タイプの押し子枠６の一部を正面から見た図である。図２９に示すように、取付孔６ｆの内面には、位置決め用凹部６ｇが形成されている。取付孔６ｆにブランクチップ７の爪部７ａを挿入すると、爪部７ａに形成された位置決め用凸部７ｂが、取付孔６ｆの内面の位置決め用凹部６ｇに嵌合する。これにより、押し子枠６に対するブランクチップ７の上下方向の装着位置を確実に位置決めできる。
【００６９】
本実施の形態１の壁スイッチ装置１では、押し子枠６が備える複数の押し子６ａのうちの一部の押し子６ａに対して操作ボタン２を装着しない場合がある。その場合には、当該一部の押し子６ａを覆う位置にブランクチップ７が装着される。ブランクチップ７の上下方向の長さは、操作ボタン２の上下方向の長さの１／２に実質的に等しい。このため、２個のブランクチップ７を上下方向に並べて配置することで、操作ボタン２を装着しない押し子６ａをブランクチップ７で覆うことができる。押し子６ａをブランクチップ７で覆う場合には、押し子６ａと枠本体６ｂとの間に爪部７ａを挿入することで、押し子６ａを覆う位置にブランクチップ７を取り付けることができる。図２９に示すように、押し子６ａと枠本体６ｂとの隙間に面する枠本体６ｂの内面には、位置決め用凹部６ｇが形成されている。押し子６ａと枠本体６ｂとの間にブランクチップ７の爪部７ａを挿入すると、爪部７ａに形成された位置決め用凸部７ｂが位置決め用凹部６ｇに嵌合する。これにより、押し子枠６に対するブランクチップ７の上下方向の装着位置を確実に位置決めできる。
【００７０】
図示の構成に代えて、枠本体６ｂに対する爪部７ａの接触面を、爪部７ａの挿入方向に対して傾斜した面、または凸曲面にしても良い。そのようにした場合には、押し子枠６からブランクチップ７を取り外す方向の力をブランクチップ７に加えることで、爪部７ａが枠本体６ｂから外れ、ブランクチップ７を取り外すことができる。この場合、ブランクチップ７を交換したり、ブランクチップ７を操作ボタン２に付け替えたりする作業を容易に行うことができる。
【００７１】
図３０は、本実施の形態１における８チャンネル型の壁スイッチ装置１を示す斜視図である。図３０に示す壁スイッチ装置１は、図１から図３に示す壁スイッチ装置１と同じものである。図１の状態の壁スイッチ装置１から、化粧枠１０及び化粧枠保持体１１を取り外した状態が図３０に相当する。８チャンネル型の壁スイッチ装置１を組み立てる場合には、図８及び図９に示す第一タイプの押し子枠６と、図１９に示す標準幅の操作ボタン２とを用いる。第一タイプの押し子枠６の８個の押し子６ａの各々の位置に、標準幅の操作ボタン２を取り付けることで、８チャンネル型のボタンユニット及び壁スイッチ装置１を組み立てることができる。
【００７２】
図３１は、本実施の形態１における４チャンネル型の壁スイッチ装置１を示す斜視図である。図３１に示す４チャンネル型の壁スイッチ装置１を組み立てる場合には、図８及び図９に示す第一タイプの押し子枠６と、図２０に示す倍幅の操作ボタン２とを用いる。図２０に示す倍幅の操作ボタン２は、左右方向に並ぶ２個の押し子６ａを覆うようにして押し子枠６に取り付けられる。第一タイプの押し子枠６に、倍幅の操作ボタン２を４個取り付けることで、４チャンネル型のボタンユニット及び壁スイッチ装置１を組み立てることができる。
【００７３】
図３２は、本実施の形態１における３チャンネル型の壁スイッチ装置１を示す斜視図である。図３２に示す３チャンネル型の壁スイッチ装置１を組み立てる場合には、図１０及び図１１に示す第二タイプの押し子枠６と、図２０に示す倍幅の操作ボタン２と、図２６及び図２７に示すブランクチップ７とを用いる。第二タイプの押し子枠６に、倍幅の操作ボタン２を３個取り付けるとともに、ブランクチップ７を２個取り付けることで、３チャンネル型のボタンユニット及び壁スイッチ装置１を組み立てることができる。この場合、２箇所のブランクチップ取付部６ｈに、それぞれ、ブランクチップ７を取り付ける。
【００７４】
図３３は、本実施の形態１における２チャンネル型の壁スイッチ装置１を示す斜視図である。図３３に示す２チャンネル型の壁スイッチ装置１を組み立てる場合には、図１０及び図１１に示す第二タイプの押し子枠６と、図２０に示す倍幅の操作ボタン２と、図２６及び図２７に示すブランクチップ７とを用いる。第二タイプの押し子枠６に、倍幅の操作ボタン２を２個取り付けるとともに、ブランクチップ７を４個取り付けることで、２チャンネル型のボタンユニット及び壁スイッチ装置１を組み立てることができる。この場合、以下のようにする。第二タイプの押し子枠６の１段目の押し子６ａを覆う位置と、３段目の押し子６ａを覆う位置とに、それぞれ、倍幅の操作ボタン２を取り付ける。２段目の押し子６ａを覆う位置に、２個のブランクチップ７を取り付ける。２箇所のブランクチップ取付部６ｈに、それぞれ、ブランクチップ７を取り付ける。
【００７５】
図３４は、本実施の形態１における１チャンネル型の壁スイッチ装置１を示す斜視図である。図３４に示す１チャンネル型の壁スイッチ装置１を組み立てる場合には、図１０及び図１１に示す第二タイプの押し子枠６と、図２０に示す倍幅の操作ボタン２と、図２６及び図２７に示すブランクチップ７とを用いる。第二タイプの押し子枠６に、倍幅の操作ボタン２を１個取り付けるとともに、ブランクチップ７を６個取り付けることで、１チャンネル型のボタンユニット及び壁スイッチ装置１を組み立てることができる。この場合、以下のようにする。第二タイプの押し子枠６の１段目の押し子６ａを覆う位置に、２個のブランクチップ７を取り付ける。２段目の押し子６ａを覆う位置に、倍幅の操作ボタン２を取り付ける。３段目の押し子６ａを覆う位置に、２個のブランクチップ７を取り付ける。２箇所のブランクチップ取付部６ｈに、それぞれ、ブランクチップ７を取り付ける。
【００７６】
上述した例では、共通の押し子枠６（第一タイプの押し子枠６）を用いて、４チャンネル型と８チャンネル型との２種類のボタンユニット及び壁スイッチ装置１を組み立てている。また、上述した例では、共通の押し子枠６（第二タイプの押し子枠６）を用いて、１チャンネル型と２チャンネル型と３チャンネル型との３種類のボタンユニット及び壁スイッチ装置１を組み立てている。このように、本実施の形態１によれば、押し子枠６に対する操作ボタン２の取付位置、押し子枠６に対する操作ボタン２の取付個数、及び操作ボタン２の形状、のうちの少なくとも一つを変更することで、共通の押し子枠６を用いて複数種類のボタンユニット及び壁スイッチ装置１を組み立てることができる。このため、複数種類の壁スイッチ装置１を製造する場合に、部品の種類を抑制できるとともに、１種類当たりの部品の製造個数を多くできるので、部品コストを抑制でき、製造コストを低減できる。
【００７７】
本実施の形態では、共通の基板ケースユニットに対して、上述した複数種類のボタンユニット（１チャンネル型のボタンユニット、２チャンネル型のボタンユニット、３チャンネル型のボタンユニット、４チャンネル型のボタンユニット、及び８チャンネル型のボタンユニット）を選択的に取り付け可能である。このため、複数種類の壁スイッチ装置１を製造する場合に、部品の種類を抑制できるとともに、１種類当たりの部品の製造個数を多くできるので、部品コストを抑制でき、製造コストを低減できる。
【００７８】
図３３に示す壁スイッチ装置１、あるいは図３４に示す壁スイッチ装置１のように、押し子枠６が備える複数の押し子６ａのうちの一部の押し子６ａに対して操作ボタン２を装着しない場合がある。本実施の形態では、押し子６ａを覆う位置にブランクチップ７を取り付け可能としたことで、上記のような場合に、操作ボタン２が装着されない押し子６ａをブランクチップ７で覆うことができる。これにより、部品の種類を抑制しつつ、操作ボタン２の取付位置、操作ボタン２の取付個数、及び操作ボタン２の形状、のうちの少なくとも一つが異なる複数種類の壁スイッチ装置１をさらに容易に組み立てることができる。
【００７９】
図３０に示す８チャンネル型の壁スイッチ装置１が備える標準幅の操作ボタン２は、１個の押し子６ａのみを覆うものである。図３１に示す４チャンネル型の壁スイッチ装置１が備える倍幅の操作ボタン２は、左右方向に隣り合う２個の押し子６ａを覆うものである。このように、本実施の形態では、１個の押し子６ａのみを覆う操作ボタン２と、隣り合う複数の押し子６ａを覆う操作ボタン２との双方を、押し子枠６に取り付け可能である。これにより、部品の種類を抑制しつつ、操作ボタン２の取付位置、操作ボタン２の取付個数、及び操作ボタン２の形状、のうちの少なくとも一つが異なる複数種類の壁スイッチ装置１をさらに容易に組み立てることができる。
【００８０】
図３５は、本実施の形態１の壁スイッチ装置１の基板ケースユニットからボタンユニットを取り外した状態を示す分解斜視図である。前述したように、基板ケースユニットは、取付枠３、基板ケース４、及び回路基板ユニット５が組み合わされたユニット（アセンブリー）であり、ボタンユニットは、操作ボタン２及び押し子枠６が組み合わされたユニット（アセンブリー）である。図３５に示す例は、スイッチボックス２００に対して基板ケースユニットが壁取付ねじ１００により固定された状態を示す。スイッチボックス２００は、例えば、日本工業規格（ＪＩＳ）Ｃ８４３５に適合する合成樹脂製ボックスまたは日本工業規格（ＪＩＳ）Ｃ８３４０に適合する電線管用金属製ボックスである。スイッチボックス２００は、壁に埋め込まれたり、壁に直付されたりするように設置される。化粧枠保持体１１は、ねじ１１０により基板ケースユニット（取付枠３）に固定されている。
【００８１】
図３６は、本実施の形態１の壁スイッチ装置１の工具差込口及びその付近を示す斜視図である。図３７は、本実施の形態１の壁スイッチ装置１の工具差込口及びその付近の断面を示す斜視図である。図３６及び図３７は、化粧枠１０を取り外した状態を示す。これらの図に示すように、壁スイッチ装置１は、工具差込口８を備える。化粧枠保持体１１と押し子枠６との隙間から、工具差込口８に、例えばマイナスドライバーのような汎用の工具を差し込むことができる。工具差込口８は、取付枠３の板状突出部３ｆと押し子枠６のブランク部６ｄとの間に形成される。工具差込口８は、押し子枠６の上端及び下端に２箇所ずつの計４箇所に形成される。工具差込口８は、押し子枠６の一部を切り欠くことで形成される。
【００８２】
本実施の形態１の壁スイッチ装置１では、基板ケースユニットが壁に固定された状態で、基板ケースユニットからボタンユニットを取り外し可能である。壁に設置された状態の壁スイッチ装置１のボタンユニットを取り外す手順の例は、以下のとおりである。
（１）まず、化粧枠１０を取り外す。化粧枠１０は、化粧枠保持体１１に対して、例えば、スナップフィット（爪部による固定、嵌合による固定など）、凸部が凹部に圧入することによる固定などの方法により固定される。化粧枠１０は、化粧枠保持体１１に対して、工具を使用せずに、手だけで着脱可能とされることが望ましい。
（２）次に、化粧枠保持体１１と押し子枠６との隙間から工具の先端を工具差込口８に差し込み、工具の基端を壁に近づける方向に工具を倒す。これにより、工具の先端によって押し子枠６が持ち上げられる。押し子枠６の爪部６ｃと、取付枠３との接触面は、爪部６ｃの挿入方向に対して傾斜している（図３７参照）。このため、工具によって押し子枠６が持ち上げられ、爪部６ｃを取付枠３の爪挿入孔３ｇから引き抜く方向の力が作用することで、爪部６ｃの接触面が摺動し、爪部６ｃによる押し子枠６と取付枠３との固定が解除される。爪部６ｃによる押し子枠６と取付枠３との固定が解除されることで、ボタンユニットを基板ケースユニットから取り外すことができる。
【００８３】
押し子枠６の爪部６ｃは、ボタンユニット（表面ユニット）を、基板ケースユニット（壁取付ユニット）に対して、片持ち梁型（カンチレバー型）のスナップフィットにより着脱可能に固定するユニット固定手段の例である。ボタンユニットを基板ケースユニットに対して爪部６ｃのスナップフィットにより着脱可能としたことで、低コストの構造で、ボタンユニットを基板ケースユニットに対して容易かつ迅速に着脱できる。本実施の形態では、ボタンユニット（表面ユニット）側に爪部を設けることでユニット固定手段を構成しているが、基板ケースユニット（壁取付ユニット）側に爪部を設けることでユニット固定手段を構成しても良い。また、ユニット固定手段の構成は、爪部（片持ち梁型のスナップフィット）を用いる構成に限定されるものではない。例えば、他のタイプのスナップフィット（環状スナップフィット、ねじり型のスナップフィット、圧縮型のスナップフィットなど）、凸部が凹部に圧入することによる固定などを用いてユニット固定手段を構成にしても良い。
【００８４】
本実施の形態１であれば、基板ケースユニットが壁に固定されたままの状態で、ボタンユニットを取り外し可能としたことで、以下のような効果が得られる。
（１）操作ボタン２の表示部２ｂの名札を交換する場合に、ボタンユニットを取り外し、当該ボタンユニットを作業がしやすい場所（机の上など）に運んだ上で、名札を交換する作業を実施できる。このため、当該作業を容易に行うことができる。また、表示部２ｂを構成する透明部品を落としたり紛失したりすることを確実に防止できる。基板ケースユニットを壁から取り外す必要がないので、作業を軽減できる。
（２）基板ケースユニットを交換することなく、ボタンユニットのみを交換可能である。このため、ボタンユニットが破損した場合などに、ボタンユニットのみを交換することで、容易かつ低コストで修理できる。
（３）ボタンユニットを異なる種類のものに交換することもできる。すなわち、ボタンユニットを取り外し、異なる種類のボタンユニット（例えば、１チャンネル型のボタンユニット、２チャンネル型のボタンユニット、３チャンネル型のボタンユニット、４チャンネル型のボタンユニット、及び８チャンネル型のボタンユニットのうちの他の種類）を基板ケースユニットに付け替えて使用可能である。このため、壁に設置されている壁スイッチ装置１の仕様を、異なる種類の仕様に、容易かつ低コストで変更できる。
【００８５】
本実施の形態１の壁スイッチ装置１では、上述したユニット固定手段によりボタンユニットを基板ケースユニットに着脱可能としたことで、その着脱の際にねじを回す必要がないので、迅速かつ容易に着脱できる。また、本実施の形態１では、基板ケースユニットからボタンユニットを取り外す際に、工具差込口８に挿入する工具を必要とする。すなわち、工具を使わずに手だけで基板ケースユニットからボタンユニットを取り外すことはできない。これにより、いたずらなどによってボタンユニットが取り外されることを確実に抑制できる。
【００８６】
本実施の形態１では、化粧枠保持体１１を基板ケースユニットから取り外すことなく、ボタンユニットを基板ケースユニットに対して着脱できる。このため、ボタンユニットを基板ケースユニットに対して着脱する作業の手間を軽減できる。
【００８７】
図３６及び図３７に示すように、本実施の形態１の押し子枠６は、外縁張出部６ｉを有する。化粧枠１０を取り付けた状態では、外縁張出部６ｉは、化粧枠１０の内側に隠れる。外縁張出部６ｉの外形は、化粧枠１０の内縁に比べて、僅かに大きい。化粧枠１０を取り付けた状態では、工具差込口８が化粧枠１０の内側に隠れることで、工具差込口８に工具を差し込むことができない。すなわち、本実施の形態の壁スイッチ装置１において、化粧枠１０を取り付けた状態では、ボタンユニットを基板ケースユニットから取り外すことはできない。本実施の形態であれば、化粧枠１０を取り外さないと基板ケースユニットからボタンユニットを取り外すことはできない。このため、いたずらなどによってボタンユニットが取り外されることをより確実に抑制できる。また、工具差込口８が化粧枠１０の内側に隠れることで、不特定の使用者が工具差込口８の存在に気づくことがないので、いたずらなどによってボタンユニットが取り外されることをより確実に抑制できる。
【００８８】
本実施の形態では、ボタンユニットは、外観領域（化粧枠１０に囲まれる領域）の実質的に全体を覆う。ここでの「実質的に」とは、ボタンユニットと化粧枠１０との間に、部品同士の間に確保することに必要な隙間の大きさ程度の違いが存在する場合を含む意味である。ボタンユニットが外観領域（化粧枠１０に囲まれる領域）の実質的に全体を覆うことで、壁スイッチ装置１の外観領域の全体を交換可能となるので、より多様な種類の壁スイッチ装置１を構成することが可能となる。
【００８９】
実施の形態２．
次に、図３８から図４１を参照して、本発明の実施の形態２について説明するが、上述した実施の形態１との相違点を中心に説明し、同一部分または相当部分は同一名称を付し説明を簡略化または省略する。
【００９０】
図３８は、本発明の実施の形態２の壁スイッチ装置１が備える取付枠３の正面図である。図３８に示すように、本実施の形態２における取付枠３の板状突出部３ｆの表面には、実施の形態１における表示３ｊに代えて、表示３ｋ，３ｍ，３ｎが設けられている。表示３ｋ，３ｍ，３ｎは、取付枠３の上下を示す表示である。表示３ｋは、上向きの矢印である。表示３ｋは、取付枠３の上側の板状突出部３ｆと下側の板状突出部３ｆとの双方に設けられている。表示３ｍは、「うえ」の文字であり、取付枠３の上側の板状突出部３ｆに設けられている。表示３ｎは、「した」の文字であり、取付枠３の下側の板状突出部３ｆに設けられている。本実施の形態２であれば、これらの表示３ｋ，３ｍ，３ｎを設けたことで、壁スイッチ装置１を壁に取り付ける際に、誤って上下を逆向きに取り付けることをより確実に防止できる。
【００９１】
図３９は、本発明の実施の形態２の壁スイッチ装置１が備える押し子枠６を表側から見た斜視図である。図３９に示すように、本実施の形態２における押し子枠６は、実施の形態１における外縁張出部６ｉを無くした形状を有する。本実施の形態２における押し子枠６の外縁は、化粧枠１０の内縁に比べて、僅かに小さい。本実施の形態２であれば、このように構成したことで、化粧枠１０を基板ケースユニットから取り外すことなく、基板ケースユニットからボタンユニットを取り外すことが可能となる。
【００９２】
図４０は、本発明の実施の形態２の壁スイッチ装置１が備える押し子枠６を裏面側から見た図である。図４０に示すように、本実施の形態２における押し子枠６の裏面には、押し子枠６の上下を示す表示６ｊ，６ｋが設けられている。表示６ｊは、「うえ」の文字であり、押し子枠６の上部に設けられている。表示６ｋは、「した」の文字であり、押し子枠６の下部に設けられている。これらの表示６ｊ，６ｋを設けたことで、押し子枠６（ボタンユニット）を取付枠３（基板ケースユニット）に取り付ける際に、誤って上下を逆向きに取り付けることをより確実に防止できる。
【００９３】
図４１は、本発明の実施の形態２の壁スイッチ装置１の工具差込口８及びその付近の断面を示す斜視図である。図４１に示すように、本実施の形態２の壁スイッチ装置１では、化粧枠１０と押し子枠６との隙間から、工具差込口８に、例えばマイナスドライバーのような汎用の工具を差し込むことができる。そのようにして先端を工具差込口８に差し込んだ工具の基端を壁に近づける方向に工具を倒すことで、爪部６ｃによる押し子枠６と取付枠３との固定が解除され、ボタンユニットを基板ケースユニットから取り外すことができる。本実施の形態２であれば、化粧枠１０を基板ケースユニットに取り付けたままの状態で、ボタンユニットを基板ケースユニットに対して着脱できる。このため、ボタンユニットを基板ケースユニットに対して着脱する作業の手間をさらに軽減できる。
【００９４】
以上説明した実施の形態１及び２の壁スイッチ装置１であれば、押し子枠６に対する操作ボタン２の取付位置、押し子枠６に対する操作ボタン２の取付個数、及び操作ボタン２の形状、のうちの少なくとも一つが異なる、さらに多くの種類の壁スイッチ装置１を、共通の押し子枠６を用いて組み立てることが可能である。以下、それらの種類の一部を説明する。
【００９５】
図４２及び図４３は、本発明の実施の形態１及び２において組み立て可能な壁スイッチ装置１の他の例を示す正面図である。図４２及び図４３では、壁スイッチ装置１の外観領域のみを模式的に示す。図４２及び図４３では、分かりやすくするための便宜上、操作ボタンの領域に斜線を付す。
【００９６】
まず、図４２の（Ａ）の例について説明する。本例の壁スイッチ装置１は、１チャンネル型であり、押し子枠６の１段目の押し子６ａを覆う位置に倍幅の操作ボタン２を取り付け、それ以外の領域に６個のブランクチップ７を取り付けたものである。本例の壁スイッチ装置１は、第二タイプの押し子枠６と、第一タイプの押し子枠６とのいずれを用いても、組み立てることができる。
【００９７】
１チャンネル型の壁スイッチ装置１を組み立てる場合、第一タイプの押し子枠６の２段目の押し子６ａを覆う位置に倍幅の操作ボタン２を取り付けたり、第一タイプの押し子枠６の３段目の押し子６ａを覆う位置に倍幅の操作ボタン２を取り付けたり、第一タイプの押し子枠６の４段目の押し子６ａを覆う位置に倍幅の操作ボタン２を取り付けたりすることもできる。これらによれば、操作ボタン２の取付位置が図３４の例及び図４２（Ａ）の例とは異なる、さらに他の種類の壁スイッチ装置１を組み立てることができる。
【００９８】
次に、図４２の（Ｂ）の例について説明する。本例の壁スイッチ装置１は、１チャンネル型であり、押し子枠６の１段目の左側の押し子６ａを覆う位置に標準幅の操作ボタン２を取り付けたものである。当該押し子枠６の１段目の右側の押し子６ａを覆う位置には、上下方向に隣接する２個のブランクチップ９を取り付けている。ブランクチップ９は、左右方向の長さがブランクチップ７の１／２に実質的に等しいこと以外は、ブランクチップ７と同様の構成及び機能を有する部品である。操作ボタン２及びブランクチップ９で覆われない領域には、６個のブランクチップ７を取り付けている。本例の壁スイッチ装置１は、第二タイプの押し子枠６と、第一タイプの押し子枠６とのいずれを用いても、組み立てることができる。
【００９９】
１チャンネル型の壁スイッチ装置１を組み立てる場合、第二タイプの押し子枠６、または第一タイプの押し子枠６を用いて、図４２の（Ｂ）以外の位置に標準幅の操作ボタン２を取り付け、それ以外の領域にブランクチップ７及びブランクチップ９を取り付けることで、操作ボタン２の取付位置が異なる、さらに他の種類の壁スイッチ装置１を組み立てることができる。
【０１００】
次に、図４２の（Ｃ）の例について説明する。本例の壁スイッチ装置１は、２チャンネル型であり、第一タイプの押し子枠６の１段目及び２段目の押し子６ａを覆う位置に倍幅の操作ボタン２をそれぞれ取り付け、それ以外の領域に４個のブランクチップ７を取り付けたものである。
【０１０１】
次に、図４２の（Ｄ）の例について説明する。本例の壁スイッチ装置１は、２チャンネル型であり、第一タイプの押し子枠６の１段目の押し子６ａを覆う位置に倍幅の操作ボタン２を取り付け、２段目の左側の押し子６ａを覆う位置に標準幅の操作ボタン２を取り付け、これら以外の領域に４個のブランクチップ７及び２個のブランクチップ９を取り付けたものである。本例のように、形状の異なる複数種類の操作ボタン２を混在させても良い。
【０１０２】
次に、図４３の（Ｅ）の例について説明する。本例の壁スイッチ装置１は、７チャンネル型であり、第一タイプの押し子枠６の１段目の押し子６ａを覆う位置に倍幅の操作ボタン２を取り付け、２段目、３段目、及び４段目の６個の押し子６ａの各々に対して６個の標準幅の操作ボタン２を取り付けたものである。本実施の形態であれば、７チャンネル型以外にも、５チャンネル型、あるいは６チャンネル型の壁スイッチ装置１を組み立てることもできる。
【０１０３】
次に、図４３の（Ｆ）の例について説明する。本例の壁スイッチ装置１は、３チャンネル型であり、第一タイプの押し子枠６と、１個の逆Ｌ字型の操作ボタン２Ａと、１個のＬ字型の操作ボタン２Ｂと、１個の倍幅の操作ボタン２とを備える。正面から見て、操作ボタン２Ａは、当該押し子枠６の１段目の２個の押し子６ａと、２段目の右側の押し子６ａとを覆う逆Ｌ字型の形状を有する。この操作ボタン２Ａにおいて、当該押し子枠６の１段目の２個の押し子６ａを覆う領域が表示部２ｂに相当し、２段目の右側の押し子６ａを覆う領域が操作部２ａに相当する。正面から見て、操作ボタン２Ｂは、当該押し子枠６の２段目の左側の押し子６ａと、３段目の２個の押し子６ａとを覆うＬ字型の形状を有する。この操作ボタン２Ｂにおいて、当該押し子枠６の２段目の左側の押し子６ａを覆う領域が表示部２ｂに相当し、３段目の２個の押し子６ａを覆う領域が操作部２ａに相当する。当該押し子枠６の４段目の押し子６ａを覆う位置には倍幅の操作ボタン２を取り付けている。
【０１０４】
上述した逆Ｌ字型の操作ボタン２Ａでは、正面から見たときに、表示部２ｂが占める領域の面積は、操作部２ａが占める領域の面積の２倍である。上述したＬ字型の操作ボタン２Ｂでは、正面から見たときに、表示部２ｂが占める領域の面積は、操作部２ａが占める領域の面積の０．５倍である。前述したように、正面から見て、表示部２ｂが占める領域の面積が、操作部２ａが占める領域の面積に比べて、０．５倍〜２倍程度であれば、表示部２ｂの領域の面積を十分に大きくしつつ、操作部２ａを押す場合に操作部２ａをより押しやすくできる。
【０１０５】
次に、図４３の（Ｇ）の例について説明する。本例の壁スイッチ装置１は、４チャンネル型であり、第一タイプの押し子枠６と、１個の操作ボタン２Ｃと、２個の標準幅の操作ボタン２と、１個の倍幅の操作ボタン２とを備える。正面から見て、操作ボタン２Ｃは、当該押し子枠６の１段目の左側の押し子６ａと、２段目の２個の押し子６ａと、３段目の右側の押し子６ａを覆う特殊な形状を有する。この操作ボタン２Ｃにおいて、当該押し子枠６の１段目の左側の押し子６ａ及び２段目の左側の押し子６ａを覆う領域が表示部２ｂに相当し、２段目の右側の押し子６ａ及び３段目の右側の押し子６ａを覆う領域が操作部２ａに相当する。当該押し子枠６の１段目の右側の押し子６ａを覆う位置には標準幅の操作ボタン２を取り付けている。当該押し子枠６の３段目の左側の押し子６ａを覆う位置には標準幅の操作ボタン２を取り付けている。当該押し子枠６の４段目の押し子６ａを覆う位置には倍幅の操作ボタン２を取り付けている。
【０１０６】
本発明では、正面から見た操作ボタンの形状は、長方形に限定されるものではなく、上述した操作ボタン２Ａ，２Ｂ，２Ｃのように、長方形以外の形状のものを含むことが可能である。長方形以外の形状の操作ボタンを用いた場合、次のような効果が得られる。例えば、フロア内がパーティションによって複数の区画に仕切られており、各区画の照明を壁スイッチ装置１の各操作ボタンに割り付ける場合に、壁スイッチ装置１の各操作ボタンの形状及び配置を、各区画の形状及び配置に対応させる。これにより、各操作ボタンによって、フロア内のどの区画の照明が制御されるかを使用者が容易に理解できる。
【０１０７】
図４３の（Ｇ）の操作ボタン２Ｃでは、表示部２ｂが占める領域の中心位置が、操作部２ａが占める領域の中心位置に比べて、上の位置にある。このため、操作部２ａを指で押す場合に表示部２ｂが指で隠れにくいので、表示部２ｂを目視しながら操作ボタン２を押すことができ、押し間違いを抑制できる。この操作ボタン２Ｃを正面から見たとき、操作部２ａが占める領域と表示部２ｂが占める領域との境界２ｔは、上下方向に延びる一本の線になる。
【０１０８】
図３０から図３４、図４２、及び図４３を用いて説明した例は、本実施の形態１及び２において組み立て可能な壁スイッチ装置１のうちのごく一部である。本実施の形態１及び２によれば、押し子枠６に対する操作ボタン２の取付位置、押し子枠６に対する操作ボタン２の取付個数、及び操作ボタン２の形状、のうちの少なくとも一つを変更することで、極めて多種多様の壁スイッチ装置１を、共通の押し子枠６を用いて組み立てることが可能である。
【０１０９】
図４４は、本発明における操作ボタンの他の変形例を模式的に示す側面図である。図４４に示す操作ボタン１２は、ボタン本体１３と、表示部を構成する透明部品１４と、操作部を構成する操作部チップ１５とを備える。ボタン本体１３は、押し子枠６に対して取り付けるための爪部１３ａを有する。透明部品１４は、爪部１４ａを有する。透明部品１４は、爪部１４ａにより、ボタン本体１３に対して着脱可能である。ボタン本体１３と透明部品１４との間に、名札１６を配置できる。操作部チップ１５は、爪部１５ａを有する。操作部チップ１５は、爪部１５ａにより、ボタン本体１３に対して着脱可能である。図４４では、操作部チップ１５の表面の頂部（取付壁面との距離が最大になる位置）１５ｂは、正面から見て、操作部チップ１５が占める領域と透明部品１４（表示部）が占める領域との境界１２ａと、操作部チップ１５が占める領域の中心１５ｃとの間にある。ボタン本体１３から操作部チップ１５を取り外し、操作部チップ１５の上下を図４４の状態に対して逆向きにして、操作部チップ１５をボタン本体１３に装着することもできる。このようにすることで、使用者が、好みに応じて、操作部チップ１５の表面の頂部１５ｂの位置を変えることができる。また、操作部チップ１５を、表面の形状等が異なる他の操作部チップ１５に交換することもできる。これにより、使用者が、好みに応じて、操作ボタン１２の操作部の表面形状等を容易に変えることができる。
【０１１０】
図４５は、本発明における操作ボタンの他の変形例を模式的に示す側面図である。図４５に示す操作ボタン１７は、ボタン本体１８と、表示部を構成する透明部品１９と、操作部を構成する操作部チップ２０とを備える。ボタン本体１８は、押し子枠６に対して取り付けるための爪部１８ａを有する。透明部品１９は、爪部１９ａ及び凸部１９ｂを有する。凸部１９ｂは、ボタン本体１８に形成された凹部に圧入する。透明部品１９は、爪部１９ａ及び凸部１９ｂにより、ボタン本体１８に対して着脱可能である。爪部１９ａ及び凸部１９ｂのいずれか一方のみを設けることで透明部品１９をボタン本体１８に対して着脱可能にしても良い。ボタン本体１８と透明部品１９との間に、名札１６を配置できる。操作部チップ２０は、凸部２０ａを有する。凸部２０ａは、ボタン本体１８に形成された凹部に圧入する。操作部チップ２０は、凸部２０ａにより、ボタン本体１８に対して着脱可能である。操作部チップ２０の表面は、緩やかに湾曲する凸曲面になっている。
【０１１１】
図４４及び図４５により説明したように、本発明における操作ボタンは、操作部を構成する操作部チップがボタン本体に対して着脱可能なものでも良い。その場合、操作部チップをボタン本体に着脱可能に固定する方法は、例えば、スナップフィット（爪部による固定、嵌合による固定など）、凸部が凹部に圧入することによる固定など、いかなる方法でも良い。上述した実施の形態では、正面から見たときに、操作ボタンが、操作部が占める片方の領域と、表示部が占めるもう片方の領域とに二分される例について説明した。本発明における操作ボタンは、このような構成に限定されない。操作ボタンの表面の全体が表示部でも良い。操作ボタンの表面の全体が操作部でも良い。操作ボタンの表面において、表示部を取り囲むように操作部が形成されても良い。本発明では、操作ボタンと押し子とが別体でなくても良い。すなわち、本発明では、操作ボタンと押し子とが一体化していても良い。
【０１１２】
実施の形態３．
次に、図４６及び図４７を参照して、本発明の実施の形態３について説明するが、上述した実施の形態との相違点を中心に説明し、同一部分または相当部分は同一名称を付し説明を簡略化または省略する。
【０１１３】
図４６は、本発明の実施の形態３の壁設置装置を取付壁面に対して垂直で鉛直線に平行な平面で切断した断面を模式的に示す図である。図４６に示す本実施の形態３の壁設置装置３０は、壁取付ユニット３１と、外観領域を有する表面ユニット３２とを備える。表面ユニット３２は、壁取付ユニット３１に対して、ユニット固定手段３３により、着脱可能に固定される。ユニット固定手段３３は、スナップフィットまたは圧入により、表面ユニット３２を壁取付ユニット３１に固定する。図４６は、壁設置装置３０が壁５００に取り付けられた状態を示す。壁５００には、スイッチボックス２１０が固定されている。スイッチボックス２１０は、例えば、日本工業規格（ＪＩＳ）Ｃ８４３５に適合する合成樹脂製ボックスまたは日本工業規格（ＪＩＳ）Ｃ８３４０に適合する電線管用金属製ボックスである。
【０１１４】
壁取付ユニット３１は、正面が開口したケース部３１ａと、ケース部３１ａの上辺及び下辺から上及び下にそれぞれ突出する板状突出部３１ｂと、ケース部３１ａに設置された一対の端子金具３１ｃとを有する。板状突出部３１ｂには、壁取付ねじ１００を通す壁取付孔３１ｄが形成されている。壁取付孔３１ｄに通した壁取付ねじ１００を締め付けることで、壁取付ユニット３１が壁５００及びスイッチボックス２１０に対して取り付けられている。端子金具３１ｃの先端側は、ケース部３１ａにより形成される凹部の底部からケース部３１ａの内部へ向かって突出している。端子金具３１ｃの基端側は、ケース部３１ａの外側において、伝送線１２０に接続されている。
【０１１５】
表面ユニット３２は、本体３２ａと、タッチスクリーン（タッチパネル）３２ｂと、回路基板３２ｃと、コネクタ３２ｄと、基板保護板３２ｅとを有する。本体３２ａの一部は、壁取付ユニット３１のケース部３１ａの内部に挿入する。タッチスクリーン３２ｂは、表示装置（例えば液晶表示装置）と、位置入力装置とを組み合わせた電子機器である。タッチスクリーン３２ｂの画面上の表示に指を触れることで、入力操作を行うことができる。タッチスクリーン３２ｂは、使用者が操作する操作手段の例である。タッチスクリーン３２ｂは、本体３２ａに固定されている。
【０１１６】
回路基板３２ｃは、壁設置装置３０を制御するマイクロコンピュータ等の制御部と、伝送線１２０を介して他の機器と通信する通信部とを有する。当該通信部は、無線通信により他の機器と通信するものでも良い。その場合、伝送線１２０は、電力を供給するだけでも良い。回路基板３２ｃは、本体３２ａに固定されている。コネクタ３２ｄは、回路基板３２ｃの裏面側に搭載されている。コネクタ３２ｄは、壁取付ユニット３１の端子金具３１ｃと電気的に接触する。表面ユニット３２を壁取付ユニット３１に取り付けることで、端子金具３１ｃがコネクタ３２ｄに接続される。端子金具３１ｃがコネクタ３２ｄに接続されることで、伝送線１２０が回路基板３２ｃに電気的に接続される。基板保護板３２ｅは、回路基板３２ｃの裏側を覆う。基板保護板３２ｅは、本体３２ａに固定されている。基板保護板３２ｅは、端子金具３１ｃが貫通可能な孔を有する。基板保護板３２ｅを設けたことで、表面ユニット３２を壁取付ユニット３１から取り外した際に、人の手が回路基板３２ｃに触れることを確実に防止できる。
【０１１７】
化粧枠３４は、表面ユニット３２の外観領域の周囲を囲む。化粧枠３４は、化粧枠保持体（図示省略）を介して、壁取付ユニット３１に固定される。または、化粧枠３４を壁取付ユニット３１に直接固定しても良い。
【０１１８】
本実施の形態の壁設置装置３０は、タッチスクリーン３２ｂに操作ボタンを表示することで、壁スイッチとして使用することが可能となる。
【０１１９】
本実施の形態では、壁取付ユニット３１に対して、複数種類の表面ユニットを選択的に取り付け可能である。図４７は、図４６に示す壁取付ユニット３１に対して他の種類の表面ユニットを取り付けた壁設置装置３０’を取付壁面に対して垂直で鉛直線に平行な平面で切断した断面を模式的に示す図である。図４７に示す壁設置装置３０’は、図４６に示す壁設置装置３０の壁取付ユニット３１から表面ユニット３２を取り外し、他の種類の表面ユニット３２’を壁取付ユニット３１に付け替えたものである。
【０１２０】
以下、表面ユニット３２’について説明するが、表面ユニット３２との相違点のみを説明し、同様の事項は省略する。表面ユニット３２’は、タッチスクリーン３２ｂに代えてセンサ３２ｆを有する。センサ３２ｆは、壁設置装置３０’の付近の状態を検知する。センサ３２ｆは、例えば、照度センサ、人感センサ等である。
【０１２１】
照明制御システムにおいて本実施の形態の壁設置装置３０’を用いた場合、例えば次のように制御できる。センサ３２ｆが人感センサの場合には、センサ３２ｆが壁設置装置３０’の付近に人がいるか否かを検知し、人がいるときには照明を点灯し、人がいないときには照明を消灯する。あるいは、センサ３２ｆが照度センサの場合には、センサ３２ｆが壁設置装置３０’の付近の明るさを検知し、付近が暗いときには照明を点灯し、付近が明るいときには照明を消灯する。
【０１２２】
本実施の形態３によれば、壁設置装置の表面ユニットを種類の異なるものに容易に交換できる。このため、フロアの改装などに伴って、壁設置装置に対して求められる機能に変化が生じた場合に、異なる機能を有する表面ユニットに交換することで、容易に対応できる。なお、本実施の形態３では、使用者が操作する操作手段と、付近の状態を検知するセンサとのいずれか一方を備える表面ユニットを例に説明したが、表面ユニットは当該操作手段と当該センサとの両方を備えるものでも良い。
【０１２３】
以上、本発明の実施の形態について説明したが、本発明では、上述した複数の実施の形態の特徴を任意に組み合わせて実施することが可能である。また、本発明は、上述した実施の形態に限定されるものではない。
【符号の説明】
【０１２４】
１  壁スイッチ装置、２，２Ａ，２Ｂ，２Ｃ  操作ボタン、２ａ  操作部、２ｂ  表示部、２ｃ  境界、２ｄ  位置、２ｅ  中心、２ｆ  爪部、２ｇ  ボタン本体、２ｈ  上壁、２ｉ  下壁、２ｊ  対向面、２ｋ  隙間、２ｍ，２ｎ  フック、２ｐ  隙間調整用凸部、２ｑ  位置決め用凸部、２ｒ  位置決め用凹部、２ｓ  貫通孔、２ｔ  境界、３  取付枠、３ａ  壁取付孔、３ｂ  爪部、３ｃ  孔、３ｄ  枠本体、３ｅ  基板保護板、３ｆ  板状突出部、３ｇ  爪挿入孔、３ｈ，３ｉ  孔、３ｊ，３ｋ，３ｍ，３ｎ  表示、４  基板ケース、４ａ  孔、４ｂ  凹部、４ｃ  溝、４ｄ  細孔、５  回路基板ユニット、５ａ  端子、５ｂ  第一回路基板、５ｃ  第二回路基板、５ｄ  支柱部、５ｅ，５ｆ  スイッチ、５ｇ，５ｈ  発光素子、５ｉ  赤外線送信部、５ｊ  赤外線受信部、５ｋ  端子、６  押し子枠、６ａ  押し子、６ｂ  枠本体、６ｃ  爪部、６ｄ  ブランク部、６ｅ  接続部、６ｆ  取付孔、６ｇ  位置決め用凹部、６ｈ  ブランクチップ取付部、６ｉ  外縁張出部、６ｊ，６ｋ  表示、７  ブランクチップ、７ａ  爪部、７ｂ  位置決め用凸部、８  工具差込口、９  ブランクチップ、１０  化粧枠、１１  化粧枠保持体、１２  操作ボタン、１２ａ  境界、１３  ボタン本体、１３ａ  爪部、１４  透明部品、１４ａ  爪部、１５  操作部チップ、１５ａ  爪部、１５ｂ  頂部、１５ｃ  中心、１６  名札、１７  操作ボタン、１８  ボタン本体、１８ａ  爪部、１９  透明部品、１９ａ  爪部、１９ｂ  凸部、２０  操作部チップ、２０ａ  凸部、３０  壁設置装置、３１  壁取付ユニット、３１ａ  ケース部、３１ｂ  板状突出部、３１ｃ  端子金具、３１ｄ  壁取付孔、３２  表面ユニット、３２ａ  本体、３２ｂ  タッチスクリーン、３２ｃ  回路基板、３２ｄ  コネクタ、３２ｅ  基板保護板、３２ｆ  センサ、３３  ユニット固定手段、３４  化粧枠、１２０  伝送線、１００  壁取付ねじ、１１０  ねじ、２００，２１０  スイッチボックス、５００  壁
【図１】
0006459674.tif 000002
【図２】
0006459674.tif 000003
【図３】
0006459674.tif 000004
【図４】
0006459674.tif 000005
【図５】
0006459674.tif 000006
【図６】
0006459674.tif 000007
【図７】
0006459674.tif 000008
【図８】
0006459674.tif 000009
【図９】
0006459674.tif 000010
【図１０】
0006459674.tif 000011
【図１１】
0006459674.tif 000012
【図１２】
0006459674.tif 000013
【図１３】
0006459674.tif 000014
【図１４】
0006459674.tif 000015
【図１５】
0006459674.tif 000016
【図１６】
0006459674.tif 000017
【図１７】
0006459674.tif 000018
【図１８】
0006459674.tif 000019
【図１９】
0006459674.tif 000020
【図２０】
0006459674.tif 000021
【図２１】
0006459674.tif 000022
【図２２】
0006459674.tif 000023
【図２３】
0006459674.tif 000024
【図２４】
0006459674.tif 000025
【図２５】
0006459674.tif 000026
【図２６】
0006459674.tif 000027
【図２７】
0006459674.tif 000028
【図２８】
0006459674.tif 000029
【図２９】
0006459674.tif 000030
【図３０】
0006459674.tif 000031
【図３１】
0006459674.tif 000032
【図３２】
0006459674.tif 000033
【図３３】
0006459674.tif 000034
【図３４】
0006459674.tif 000035
【図３５】
0006459674.tif 000036
【図３６】
0006459674.tif 000037
【図３７】
0006459674.tif 000038
【図３８】
0006459674.tif 000039
【図３９】
0006459674.tif 000040
【図４０】
0006459674.tif 000041
【図４１】
0006459674.tif 000042
【図４２】
0006459674.tif 000043
【図４３】
0006459674.tif 000044
【図４４】
0006459674.tif 000045
【図４５】
0006459674.tif 000046
【図４６】
0006459674.tif 000047
【図４７】
0006459674.tif 000048